(57)【特許請求の範囲】
【請求項１】
内部の捕獲空間に通じる、落とし扉で開閉可能な入口を有する箱罠と、
該箱罠の前記入口の全体を封鎖するように前記入口より大きく形成されて、箱罠の落とし扉との間に落とし扉が昇降できる隙間を設けて着脱可能で、前記箱罠の前記入口に通じると共に、前記入口より小さい連通口を有する封鎖部材と、
該封鎖部材の前記連通口に着脱可能で、前記箱罠の捕獲空間より小さく、動物が暴れることができないように動きを制限する収容空間と、該収容空間と前記入口を連通させる、昇降する扉で開閉可能な通り口を有する誘導箱とを備える
殺処分用罠装置。
【請求項２】
内部の捕獲空間に通じる、落とし扉で開閉可能な入口を有する箱罠と、
該箱罠の前記入口の全体を封鎖するように前記入口より大きく形成されて、箱罠の落とし扉との間に落とし扉が昇降できる隙間を設けて着脱可能で、前記箱罠の前記入口に通じると共に、前記入口より小さい連通口を有する封鎖部材と、
該封鎖部材の前記連通口に着脱可能で、内部に設けられている収容空間と前記箱罠の入口を連通させる、昇降する扉で開閉可能な通り口と、前記収容空間が小さくなるように調節して、前記収容空間に入った動物が暴れることができないように動きを制限する動作制限手段を有する誘導箱とを備える
殺処分用罠装置。
【請求項３】
前記動作制限手段が、前記誘導箱の前記収容空間を通るように抜き差しが可能で、前記収容空間を区画する区画部材を有する
請求項２の殺処分用罠装置。
【請求項４】
前記動作制限手段が、前記誘導箱の前記収容空間の内部で、移動調節が可能な移動部材を有する
請求項２の殺処分用罠装置。
【請求項５】
前記動作制限手段が、パンタグラフジャッキと、該パンタグラフジャッキの伸縮により移動する移動部材で構成され、回転することで前記パンタグラフジャッキを伸縮させるネジ棒をインパクト回転工具により回転操作できる構造とした
請求項２の殺処分用罠装置。
【請求項６】
前記誘導箱の外形が、一方向へ長い直方体形状であり、前記通り口が、前記誘導箱の短手側の側面部に設けられている
請求項１、２、３、４または５の殺処分用罠装置。
【請求項７】
前記誘導箱の外形が、一方向へ長い直方体形状であり、前記通り口が、前記誘導箱の長手側の側面部に設けられている
請求項１、２、３、４、５または６の殺処分用罠装置。
【請求項８】
前記誘導箱が、罠の入口を開閉する落とし扉を開いた状態で支えると共に、前記落とし扉を落とす落とし操作部を有する
請求項１、２、３、４、５、６または７の殺処分用罠装置。
【請求項９】
固定用杭を打ち込むための杭孔を有する
請求項１、２、３、４、５、６、７または８の殺処分用罠装置。
【請求項１０】
前記誘導箱が、前記収容空間に通じる開閉可能な回収口を有する
請求項１、２、３、４、５、６、７、８または９の殺処分用罠装置。
【請求項１１】
前記誘導箱の前記通り口を閉じる操作を、前記通り口から離れたところから行う遠隔操作手段を備える
請求項１、２、３、４、５、６、７、８、９または１０の殺処分用罠装置。
【発明の詳細な説明】
【技術分野】
【０００１】
本発明は、罠用殺処分装置および捕獲動物の殺処分方法に関するものである。更に詳しくは、箱罠などで捕獲した捕獲対象獣を、狭い空間に追い込み、暴れないように動きを制限して、手早く確実に殺処分することができる、罠用殺処分装置および捕獲動物の殺処分方法に関する。
【背景技術】
【０００２】
動物用の罠には様々なものがあるが、その中でも動物を傷付けずに捕獲できる罠としては、いわゆる箱罠が代表的なものである。箱罠は、一般に檻状であり、入口から入った動物を検出し、落とし扉などで入口を塞ぎ、動物を内部空間に閉じ込めて捕獲するものである。このような箱罠の一例としては、特許文献１に記載された動物用箱罠がある。
【０００３】
上記特許文献１の動物用箱罠は、底部材、側部材、天部材、これら各檻構成部材で形成される開口部に設けてあるガイド部材、ガイド部材に昇降可能に取り付けられる落とし扉およびトリガー装置を備え、底部材、各側部材および天部材を、ボルト・ナットを使用する場合のような細かな手先の作業を行うことなく、簡単に組み立てることができるというものである。
【０００４】
上記箱罠で捕獲対象獣を捕獲したときは、多くの場合、殺処分を行う必要がある。近年では、狩猟者に怪我がないように、動物に電気ショックを与えて気絶させ、その後、刃物で動物の要所を切り、放血をして殺処分する方法、或いは電気でそのまま殺処分する方法が採られるようになってきた。
【先行技術文献】
【特許文献】
【０００５】
【特許文献１】特開２００６−２２３１６５号公報
【発明の概要】
【発明が解決しようとする課題】
【０００６】
しかしながら、上記のような従来の檻状の箱罠で捕獲した捕獲対象獣を、そのまま殺処分するには、次のような課題があった。すなわち、箱罠の内部空間は比較的広いため、動物を殺処分しようとしても、動物は興奮して空間内部を縦横に走り回って暴れるので、ある程度慣れた狩猟者であっても、なかなか殺処分をすることができず、方法としてはきわめて効率が悪かった。また、動物が檻壁に激突するなどして傷付き、食用とする場合に肉質が低下してしまう問題もあった。
【０００７】
本発明は、以上の点に鑑みて創案されたものであり、箱罠などで捕獲した捕獲対象獣を、狭い空間に追い込むことで動きを制限して、動物の大きさの多少の違いに関わらず、動物を暴れさせることなく、手早く確実に殺処分することができる、罠用殺処分装置および捕獲動物の殺処分方法を提供することを目的とする。
【課題を解決するための手段】
【０００８】
（１）本発明は、内部の捕獲空間に通じる開閉可能な入口を有する罠に、該罠の前記入口を直接または間接的に封鎖するように着脱可能で、前記捕獲空間より小さくて動物が暴れることができないように動きを制限する収容空間と、該収容空間と前記入口とを連通させる開閉可能な通り口とを有する罠用殺処分装置である。
【０００９】
（２）本発明は、内部の捕獲空間に通じる開閉可能な入口を有する罠に、該罠の前記入口を封鎖するように着脱可能で、前記入口に通じる連通口を有する封鎖部材と、
該封鎖部材に着脱可能で、前記捕獲空間より小さく、動物が暴れることができないように動きを制限する収容空間と、該収容空間と前記入口を連通させる開閉可能な通り口を有する誘導箱とを備える罠用殺処分装置である。
【００１０】
この場合は、仕掛けた罠に動物が掛かり、捕獲空間で捕獲されると、罠の閉じた状態の入口側に封鎖部材を取り付け、この封鎖部材に誘導箱を取り付けるようにする。誘導箱を罠に取り付けた後、罠の入口を開け、更に誘導箱の通り口を開けて、罠の捕獲空間から罠の入口、封鎖部材の連通口、誘導箱の通り口を通り、収容空間へ空間が通じるようにする。
【００１１】
そして、罠の捕獲空間内の動物を追い立て、誘導箱の収容空間へ追い込むように移動させ、誘導箱の通り口を閉じる。その後、通り口を閉じたまま、つまり動物を収容空間に収容したままで誘導箱を封鎖部材から取り外し、必要であれば適当な場所に運んで、動物の殺処分を行うようにする。
【００１２】
（３）本発明は、内部の捕獲空間に通じる開閉可能な入口を有する罠に、該罠の前記入口を封鎖するように着脱可能で、前記入口に通じる連通口を有する封鎖部材と、
該封鎖部材に着脱可能で、内部に設けられている収容空間と前記入口を連通させる開閉可能な通り口を有する誘導箱と、
該誘導箱の前記収容空間が小さくなるように調節して、前記収容空間に入った動物が暴れることができないように動きを制限する動作制限手段とを備える罠用殺処分装置である。
【００１３】
この場合は、捕獲した動物を、動作制限手段によって当初の収容空間より小さくなった収容空間内部に閉じ込めることによって、動物は更に身動きができなくなり、動きを封じることができる。なお、収容空間が小さくなるように調節するのは、収容空間に動物が収容される前でもよいし、収容された後でもよい。通常は、捕獲した動物の大きさをあらかじめ確認し、内部の空間の幅を調整しておくようにするが、限定はされない。
【００１４】
（４）本発明は、前記動作制限手段が、前記誘導箱の前記収容空間を通るように抜き差しが可能で、前記収容空間を区画する区画部材を有する、上記（３）の発明に係る罠用殺処分装置である。
【００１５】
この場合は、区画部材として、板体や棒体などを使用すれば、板体や棒体で収容空間を区画することにより、区画空間を当初の収容空間より小さくすることができる。捕獲されている動物は、これらの区画空間のいずれか一つに閉じ込められることになり、身動きがとれないようにして動物の動きを封じることができる。
【００１６】
（５）本発明は、前記動作制限手段が、前記誘導箱の前記収容空間の内部で、移動調節が可能な移動部材を有する、上記（３）の罠用殺処分装置である。
【００１７】
この場合は、収容空間内部で移動部材を移動調節すれば、収容空間より小さな空間をつくることができ、その小さくなった空間に動物を閉じ込めることで、動物の動きを制限して動きを封じることができる。また、例えばジャッキ、或いは各種アクチュエータなどを使用して移動部材を動かすようにすれば、その圧力で、より効果的に動物の動きを制限することができる。
【００１８】
（６）本発明は、前記動作制限手段が、パンタグラフジャッキと、該パンタグラフジャッキの伸縮により移動する移動部材で構成され、回転することで前記パンタグラフジャッキを伸縮させるネジ棒をインパクト回転工具により回転操作できる構造とした、上記（３）の発明に係る罠用殺処分装置である。
【００１９】
この場合は、動物を誘導箱に移動させる前、あるいは移動させた後、移動部材を移動させるときに、インパクト回転工具のチャックでネジ棒の先端部を掴んで回転させることにより、手動のハンドル操作に比べて、その移動速度を速めることが可能になり、その操作も簡単に行うことができる。なお、特許請求の範囲および明細書にいう「インパクト回転工具」の用語は、例えばインパクトドライバ、あるいはインパクトレンチなど、電気や圧縮空気などを駆動源として動く、回転または回転打撃を行う工具の意味で使用している。
【００２０】
（７）本発明は、前記誘導箱の外形が、一方向へ長い直方体形状であり、前記通り口が、前記誘導箱の短手側の側面部に設けられている、上記（２）、（３）、（４）、（５）または（６）の発明に係る罠用殺処分装置である。
【００２１】
この場合は、罠の入口から誘導箱の通り口へ向かって移動する動物の身体の方向と、誘導箱の長手方向が、ほぼ同じ方向になるので、動物が罠の入口から誘導箱の通り口を通る動作が無理なく行われるようになり、誘導箱の収容空間に動物が入りやすく、収まりやすい。
【００２２】
（８）本発明は、前記誘導箱の外形が、一方向へ長い直方体形状であり、前記通り口が、前記誘導箱の長手側の側面部に設けられている、上記（２）、（３）、（４）、（５）または（６）の発明に係る罠用殺処分装置である。
【００２３】
この場合は、誘導箱を、その通り口を罠の入口に合わせるために、長手側の側面部材を罠の入口に沿わせるようにして罠に取り付けるので、罠から突出するのは、誘導箱の短手方向の長さ分である。したがって、例えば誘導箱を長手方向に突出させるように罠に取り付ける場合と比較して、罠からの出っ張りが少なく、それほど嵩張るわけではないので、罠回りでの作業時においても、邪魔になりにくく、作業がしやすい。
【００２４】
（９）本発明は、前記誘導箱が、罠の入口を開閉する落とし扉を開いた状態で支えると共に、前記落とし扉を落とす落とし操作部を有する、上記（２）、（３）、（４）、（５）、（６）、（７）または（８）の発明に係る罠用殺処分装置である。
【００２５】
この場合は、罠の入口を閉じる際に、落とし扉を落としたトリガー装置を使用することなく、落とし扉のセッティング（開いた状態でのセット）を行うことができる。すなわち、トリガー装置によって落とし扉が落とされた後、罠には誘導箱が長手側の側面部材を入口（落とし扉で塞がれている）に沿わせるようにして取り付けられる。
【００２６】
そして、誘導箱の通り口を開け、罠の入口の落とし扉を開けることで、罠の捕獲空間と誘導箱の収容空間が通じるようになる。なお、落とし扉の開けた状態での支持は、落とし操作部により行われる。これにより、捕獲した動物を誘導箱の収容空間へ追い込むことが可能になる。収容空間に収容された動物は、狭い空間で動きが制限され、暴れることが困難になり、格子部材にぶつかるなどして怪我することを防止できる。
【００２７】
動物を誘導箱の収容空間へ追い込んだ後は、罠のトリガー装置を使用することなく、誘導箱の落とし操作部を操作して、罠の落とし扉を落とし、入口を閉じることができる。これにより、動物は、罠の捕獲空間に戻ることができない。更に、誘導箱の通り口を閉じることで、動物が収容された誘導箱を罠から取り外すことが可能になる。
【００２８】
（１０）本発明は、固定用杭を打ち込むための杭孔を有する、上記（２）、（３）、（４）、（５）、（６）、（７）、（８）または（９）の発明に係る罠用殺処分装置である。
【００２９】
この場合は、罠と罠用殺処分装置を山地や森林の地面に設置する際に、罠用殺処分装置の設置については、杭孔を通して地面に杭を打ち込むだけでよいので、他に固定のための器具などを必要とせず、地面に対する固定、すなわち設置作業及び撤去作業（取り外し作業）を手早く簡単に行うことが可能になる。
【００３０】
（１１）本発明は、前記誘導箱が、前記収容空間に通じる開閉可能な回収口を有する、上記（２）、（３）、（４）、（５）、（６）、（７）、（８）、（９）または（１０）の発明に係る罠用殺処分装置である。
【００３１】
この場合は、入口とは別に回収口が設けられるので、収容空間で殺処分した動物を回収する作業がしやすい。つまり、動物を入口側から引き出して回収しようとすると、動物を後足側から引き出すことになるので、前足の肘などの関節部が格子などに引っ掛かりやすく、回収に手間取ってしまいやすいが、本発明では侵入側と反対側に回収口があるので、前足側から引き出すことができ、肘などが格子に引っ掛からず、支障なく円滑に回収することができる。また、入口側と回収口側のうち、殺処分した動物に近い方を開けて、動物を回収することもできる。
【００３２】
また、誘導箱の入口側を閉じた状態でも、回収口を開けることで、動物の回収が可能になるので、場合によっては、封鎖部材から誘導箱を取り外すことなく、収容空間内部の動物の殺処分から回収までの作業を行うことができる。更には、複数（例えば３〜４頭）の動物が一度に捕獲できた場合、動物の大きさが異なっていても、一頭ずつ処分できる。
【００３３】
（１２）本発明は、前記誘導箱の前記入口を閉じる操作を、前記入口から離れたところから行う遠隔操作手段を備える上記（２）、（３）、（４）、（５）、（６）、（７）、（８）、（９）、（１０）または（１１）の発明に係る罠用殺処分装置である。
【００３４】
この場合は、狩猟者が罠の後部で、罠内部の動物を棒体などで後方から追い立てながら、動物が誘導箱に入ったタイミングを見計らって、遠隔操作手段によって誘導箱の入口を閉じる操作を行うことができるので、タイミングを逃がすことなく、動物を確実に誘導箱の収容空間に移動させることができる。なお、遠隔操作手段としては、紐、索縄、鎖などにより、入口を閉じる扉などのロックの解除を行う構造などの他、無線によるスイッチ操作でロックの解除を行うものなどが挙げられる。
【００３５】
（１３）本発明は、捕獲空間を有する罠で捕獲した動物を、前記捕獲空間より小さくて動物が暴れることができないように動きを制限する収容空間を有する誘導箱に移動させる工程と、前記誘導箱の前記収容空間の内部で動きが制限された状態の動物の殺処分をする工程とを備える捕獲動物の殺処分方法である。
【００３６】
この方法によれば、罠で捕獲した捕獲空間内の動物を誘導箱に移動させ、誘導箱の収容空間に閉じ込めることによって、動物の動きを制限して動きを封じることができる。これにより、動物の殺処分がしやすくなる。また、捕獲した動物（捕獲獣）を速やかに狭い空間に封じることで、例えば動物が興奮して体温が上昇しすぎたり、檻壁に激突するなどして肉質が低下することを防ぐことができるため、肉の利活用がしやすくなる。
【００３７】
（１４）本発明は、捕獲空間を有する罠で捕獲した動物を、前記罠に取り付けた誘導箱の収容空間に移動させる工程と、
前記誘導箱の前記収容空間が小さくなるように調節して動物が暴れることができないように動きを制限する工程と、
前記誘導箱の前記収容空間の内部で動きが制限された状態の動物の殺処分をする工程とを備える捕獲動物の殺処分方法である。
【００３８】
この方法によれば、罠で捕獲した捕獲空間内の動物を誘導箱に移動させた後、収容空間が小さくなるように調節し、動物を収容空間に閉じ込めることによって動物の動きを制限して動きを封じることができる。この収容空間を小さくする調節は、上記のように動物を収容空間に収容した後で行うため、動物の大きさに合わせることができるので、より確実に動物の動きを制限することができる。
【００３９】
（作用）
本発明の罠用殺処分装置の作用を説明する。
仕掛けた罠に動物が掛かり、捕獲空間で捕獲されると、罠の閉じた状態の入口側に誘導箱を取り付ける。誘導箱を取り付ける際には、罠で捕獲されている動物の大きさを勘案し、誘導箱を選択する。
【００４０】
つまり、動物が誘導箱の収容空間に入ったときに、収容空間が充分に小さく、動物が暴れることができない程度に、その動きが制限されるようであれば、収容空間に動物を移動させて収容するだけで動物の動きが封じられる（または止められる）ので、殺処分がしやすくなり、例えば動作制限手段を別に備えている誘導箱を使用する必要はない。
【００４１】
誘導箱を罠に取り付けた後、罠の入口を開け、更に誘導箱の通り口を開けて、罠の捕獲空間から罠の入口、誘導箱の通り口を通り、収容空間へ空間が通じるようにする。そして、罠の捕獲空間内の動物を追い立て、誘導箱の収容空間へ追い込むように移動させて、誘導箱の通り口を閉じる。なお、動物は、特に追い立てなくでも、自分から狭い収容空間に逃げ込むことも多いので、自分で誘導箱の中に入らないときだけ追い立てるようにすればよい。そして、通り口を閉じることで、収容空間の内部で動物が動ける空間が少なくなり、動物は動きが制限されて動きが封じられ、暴れることはできなくなる。
【００４２】
その後、通り口を閉じたまま、つまり動物を収容空間に収容したままで誘導箱を罠から取り外し、必要であれば適当な場所に運んで、動物の殺処分を行う。殺処分をした動物を、通り口を開けて通り口から外へ取り出し、食肉加工をしたり埋葬したりするなどの所定の処理を行う。
なお、誘導箱は、上記のように捕獲した動物の殺処分を行う用途の他、例えば動物を放獣する場合に所定の場所へ運搬する用途もあり、更には幼獣が入った場合に、そのまま一定期間飼育するような用途もある。
【発明の効果】
【００４３】
本発明は、箱罠などで捕獲した捕獲対象獣を、狭い空間に追い込むことで動きを制限して、動物の大きさの多少の違いに関わらず、動物を暴れさせることなく、手早く確実に殺処分することができる、罠用殺処分装置および捕獲動物の殺処分方法を提供することができる。
【図面の簡単な説明】
【００４４】
【図１】本発明に係る罠用殺処分装置の第１の実施の形態および箱罠を示す分解斜視説明図である。
【図２】封鎖部材の連通口部分の拡大斜視説明図である。
【図３】誘導箱の入口部分を前側から見た拡大斜視説明図である。
【図４】罠用殺処分装置を取り付ける箱罠の入口側格子扉を開けた状態を示す斜視図である。
【図５】罠用殺処分装置の使用手順を示し、動物を捕獲した箱罠に罠用殺処分装置を取り付けている状態の分解斜視説明図である。
【図６】罠用殺処分装置の使用手順を示し、箱罠で捕獲した動物を誘導箱へ移動させている状態の斜視説明図である。
【図７】罠用殺処分装置の使用手順を示し、動物を収容した誘導箱を封鎖部材から取り外した状態の斜視説明図である。
【図８】罠用殺処分装置の使用手順を示し、動物を殺処分するために誘導箱を立てている状態の斜視説明図である。
【図９】誘導箱の第１の変形例を示す斜視図である。
【図１０】誘導箱の第２の変形例を示す斜視図である。
【図１１】図１０に示す誘導箱の分解斜視図である。
【図１２】誘導箱の第３の変形例を示す斜視図である。
【図１３】図１２に示す誘導箱に動物が収容された状態を示す側面視説明図である。
【図１４】本発明に係る罠用殺処分装置の第２の実施の形態を示す斜視図である。
【図１５】図１４に示す罠用殺処分装置の分解斜視説明図である。
【図１６】箱本体の左側の通り口に取り付ける枠部材の取付け構造の説明図である。
【図１７】罠の入口を開閉する入口側格子扉を開いた状態で支えると共に、入口側格子扉を落とす落とし操作部の構造を示す説明図である。
【図１８】落とし操作部の動きを示す説明図である。
【図１９】動作制限装置の取付け枠の構造を示す図１５におけるＡ矢視説明図である。
【図２０】箱本体のガイド部材に対する取付け枠の取付け構造を示す説明図である。
【図２１】箱本体のガイド部材に対する取付け枠の下部側の取付け構造を示すと共に、固定用杭の使用方法を示す斜視説明図である。
【図２２】取付け枠に取り付けてあるパンタグラフジャッキの構造及び駆動の方法を示す斜視説明図である。
【図２３】移動体に対する取付け板の取付け構造を示す斜視説明図である。
【図２４】罠用殺処分装置の使用状態を示す斜視説明図である。
【図２５】誘導箱の第４の変形例を示す斜視説明図である。
【図２６】移動体に対する取付け板の取付け構造の他の例を示す斜視説明図である。
【発明を実施するための形態】
【００４５】
本発明を図面に示した実施の形態に基づき詳細に説明する。
図１、図２、図３および図４を参照する。
【００４６】
罠用殺処分装置Ｔ１は金属製であり、後述する箱罠３の入口３１を封鎖するように箱罠３に取り付けられる封鎖部材１と、封鎖部材１に着脱可能で内部の収容空間２００と通じる開閉可能な通り口２０２と回収口２０１を有する誘導箱２および動作制限手段である区画部材２８、２９、２９ａを備えている。
【００４７】
なお、罠用殺処分装置Ｔ１を取り付ける対象となる、捕獲空間を有する罠としては、本実施の形態で説明する檻状の箱罠３の他、板材で捕獲空間を囲った構造の箱罠、或いは格子状の柵で捕獲空間を囲った囲い罠などがあげられる。要は、動物を空間で捕獲できるものであれば、これらの罠に限定はされない。
【００４８】
（封鎖部材１：図１、図２参照）
封鎖部材１は、山形鋼でやや横長の長方形状に形成された外枠１０を有している。外枠１０の内側は、中央下側に形成されている四角形の連通口１１を除いて格子部１２で塞がれている。格子部１２において、連通口１１の四つの角部近傍には、誘導箱２を取り付ける部分である上部アングル１３ａ、１３ｂおよび下部アングル１３ｃ、１３ｄが設けられている。また、下部アングル１３ｃ、１３ｄは、連通口１１の下部に固定され誘導箱２の底面を受ける底受板１３の両側に設けられている。
【００４９】
上部アングル１３ａ、１３ｂおよび下部アングル１３ｃ、１３ｄには、それぞれ固定用ロッド１４を差し込むための通孔１３０が設けられている。片側（図２で右側）の上部アングル１３ｂおよび下部アングル１３ｄにおいて、通孔１３０より基部側（固定側）には、固定用ロッド１４基端部の曲げ形成されたＬ型の係合部（図７参照：符号省略）を係合するＬ型の係合材１３１が設けられている。なお、図１では、封鎖部材１の搬送時など、固定用ロッド１４を各通孔１３０に仮通しをした状態をあらわしている。
【００５０】
また、上部アングル１３ａ、１３ｂの内側近傍には、後述する誘導箱２の通り口２０２側の端部にある連結具２０７（図１、図３に図示：公知構造であるため構造の説明は省略する）が当接するＬ型の受板１５ａ、１５ｂが設けられている。下部アングル１３ｃ、１３ｄの内側近傍には、同じく連結具２０７が当接する受板１５ｃ、１５ｄが設けられている。
【００５１】
そして、後述するように、誘導箱２を封鎖部材１に取り付ける際、各連結具２０７を受板１５ａ、１５ｂ、１５ｃ、１５ｄに当接させ、固定用ロッド１４で固定されることにより、封鎖部材１と誘導箱２の間に、誘導箱２の通り口側格子扉２２が昇降できるようにする隙間（符号省略）が形成される。
【００５２】
なお、封鎖部材１は、図１に示すように箱罠３の入口３１より縦横共にやや大きく形成されており、封鎖部材１を箱罠３の正面側（入口３１側）に取り付けることにより、連通口１１部分が開いてはいるが、格子部１２によって入口３１を実質的に封鎖することができる。
【００５３】
なお、箱罠３に対する封鎖部材１の取り付けは、複数の緊締バンド１６によって行われる（後述する図５を参照）。緊締バンド１６は、バンド１６０の両端にフック１６１を有し、巻取機構を有する締付具１６２によりバンド１６０の長さを調節できる公知の構造である。
【００５４】
（誘導箱２：図１、図３参照）
誘導箱２は、正面側と背面側を除く上面、底面および両側面の四面を、上面格子部材２６、側面格子部材２３、２４および底面格子部材２７からなり、分解組み立てが可能な箱本体２０を有している。箱本体２０は、正面側に開口部である回収口２０１を有し、背面側に開口部である通り口２０２を有する、前後に長く、周面が格子状のほぼ四角筒状である。
【００５５】
箱本体２０の正面側には、昇降することにより回収口２０１を開閉する回収口側格子扉２１が設けられ、背面側には、昇降することにより通り口２０２を開閉する通り口側格子扉２２が設けられている。そして、箱本体２０の内部は、捕獲対象獣である動物を収容する収容空間２００となっている。ここで、回収口側格子扉２１および通り口側格子扉２２を昇降させ、上昇させた状態で止める構造について、詳しく説明する。
【００５６】
箱本体２０の側面格子部材２３、２４の正面側の端部には、回収口２０１を挟むように、山形鋼を使用して形成された二本のガイド部材２０３、２０４が互いに平行になるように固定されている。ガイド部材２０３、２０４は、上端部が側面格子部材２３、２４の上端とほぼ同じ高さになるように形成されている（後述する図６を参照）。
【００５７】
ガイド部材２０３、２０４には、上記回収口側格子扉２１がガイド部材２０３、２０４に沿って昇降可能に嵌装されている。なお、ガイド部材２０３、２０４近傍には、回収口側格子扉２１を上昇させて回収口２０１を開けた状態と、下降させて閉じた状態でロックするロック金具２５が設けられている。なお、ロック金具２５の構造の説明は、同様の構造を有する後述する通り口側格子扉２２のロック金具２５の説明を援用する。
【００５８】
箱本体２０の側面格子部材２３、２４の背面側の端部内側には、通り口２０２を挟むように、山形鋼を使用して形成された二本のガイド部材２０５、２０６が互いに平行になるように固定されている。ガイド部材２０５、２０６は、上部側を側面格子部材２３、２４の上端から所要の高さだけ突出させてある。また、側面格子部材２３、２４の背面側の端部には、上記連結具２０７が所要の間隔で三箇所にある。連結具２０７は、側面格子部材２３、２４とガイド部材２０５、２０６を連結するものである。
【００５９】
ガイド部材２０５、２０６には、上記通り口側格子扉２２が、ガイド部材２０５、２０６に沿って昇降可能に嵌装されている。更に、側面格子部材２３、２４の背面側の端部には、上記上部アングル１３ａ、１３ｂおよび下部アングル１３ｃ、１３ｄに対応するアングル（図示省略）が設けられている。これらアングルには、上記各通孔１３０に対応する通孔が設けられている。このようにして形成された誘導箱２は、アングルの各通孔と上部アングル１３ａ、１３ｂおよび下部アングル１３ｃ、１３ｄの各通孔１３０を合わせ、それらを縫うように固定用ロッド１４を差し込むことにより、封鎖部材１に固定することができる。
【００６０】
なお、ガイド部材２０５、２０６には、通り口側格子扉２２を上昇させて通り口２０２を開けた状態と、下降させて閉じた状態でロックするロック金具２５が設けられている。ロック金具２５は、ガイド部材２０５、２０６のそれぞれに、側面格子部材２３、２４の上面よりやや高い位置に設けられている。両ロック金具２５は、左右対称型であり、実質的に同じ構造であるので、ここでは一方（図３において右側）のロック金具２５の構造を説明する。
【００６１】
（ロック金具２５の構造）
ロック金具２５は、ガイド部材２０５に正面方向へ向け直角に固定された軸受部材２５０を有している。軸受部材２５０は、山形鋼で形成され、長さ方向の基端部と中間部にアングル２５１、２５２が固定されている。軸受部材２５０の先端側には、各片に係止凹部２５３が形成されている。そして、アングル２５１、２５２には、貫通孔２５４が形成されている。
【００６２】
また、ガイド部材２０５には、アングル２５１の貫通孔２５４と連通する貫通孔（図示省略）が形成されている。そして、アングル２５１、２５２の貫通孔２５４およびガイド部材２０５の貫通孔には、Ｌ字型のロックピン２５５が挿通されている。ロックピン２５５は、曲げて形成された係止部（符号省略）をアングル２５２の外側に位置させて通してあり、バネ２５６でガイド部材２０５の方向へ付勢されている。
【００６３】
ガイド部材２０５側では、ロックピン２５５の係止部は、回動板２５７に設けてある孔（符号省略）に通されている。回動板２５７は、軸受部材２５０に固定されているパイプ（符号省略）に回転自在に通された軸ボルト２５８に固定されている。
【００６４】
また、回動板２５７には操作レバー２５９が回動板２５７と所定の角度で固定されている。そして、操作レバー２５９の先端には、所要の長さの操作紐２０９がつながれている。なお、操作紐２０９、操作レバー２５９、回動板２５７および軸ボルト２５８などは、遠隔操作手段を構成するもので、以下に説明する各ロック金具２５、２５a、２５ｂにも採用することができる。
【００６５】
ロックピン２５５は、常態では、バネで付勢され、係止部がアングル２５２に当たって停止している。このとき、ロックピン２５５の先端は、通り口側格子扉２２の下端寄りに形成された貫通孔（図示省略）を貫通し、通り口側格子扉２２を上昇位置で止めて、落ちないように支持することができる。なお、ガイド部材２０６側のロック金具２５では、上記と同様のロック状態と、ロックピン２５５の係止部を係止凹部２５３に係止するロック解除状態（図３の状態）に切り替えることができる。
【００６６】
そして、図３に示すように、ガイド部材２０５側のロックピン２５５だけで通り口側格子扉２２を止めている状態で、操作紐２０９を引っ張り、回動板２５７を回動させてロックピン２５５を正面側へスライドさせれば、ロックピン２５５による通り口側格子扉２２のロック状態が解除されることで、通り口側格子扉２２が落下して、通り口２０２が閉じられる。
【００６７】
上面格子部材２６と底面格子部材２７の格子の内側には、前後方向のほぼ全長にわたりガイド体２６０、２７０が設けられている。ガイド体２６０、２７０は、それぞれの格子部材において、正面から見てやや左寄りの位置に、側面格子部材２３、２４と平行に設けられている。底面格子部材２７のガイド体２７０は、山形鋼が使用されて、その一片側を底面格子部材２７の格子に固着して設けられている。なお、底面格子部材２７の幅方向の中央には、格子部材を切除して口が広くなるよう形成した処分口２７１（後述する図８参照）が二箇所に設けられている。
【００６８】
上面格子部材２６のガイド体２６０は、下方にあるガイド体２７０と対応する位置に、二つの山形鋼を各辺間に隙間を設けるようにして平行に、格子部に固着して設けられている。なお、上面格子部材２６には、通り口２０２側の三箇所に、ガイド体２６０を格子枠材と共に切除した形で全幅にわたる差込口２６１、２６２、２６３が設けられている。
【００６９】
そして、ガイド体２６０とガイド体２７０には、横長の長方形状の格子部材である区画部材２８が、回収口２０１から差し込みにより装着できる（後述する図５も参照）。区画部材２８は、誘導箱２の内部に奥まで装着したときに、収容空間２００を幅方向に区画できる大きさに形成されている。なお、区画部材２８で区画された左右の空間には、大きさ（幅）に差があるので、成獣を大きい区画空間に入れ、幼獣は小さい区画空間に入れるのがよい。
【００７０】
また、側面格子部材２３、２４において、差込口２６１、２６２、２６３に対応する各内側には、それぞれガイド体２３０、２４０が相対向して上下方向に設けてある。ガイド体２３０、２４０は、二つの山形鋼を各辺間に隙間を設けるようにして平行に固着して設けられている。
【００７１】
上記区画部材２８には、区画部材２８を奥まで差し込んだ際の、各差込口２６１、２６２、２６３に対応する各ガイド体２３０（正面側から見て右側）と対向する位置に、ガイド体２３０と同様の構造のガイド体２８０が三箇所に上下方向に設けられている。
【００７２】
各差込口２６１、２６２、２６３に対応するガイド体２３０、２４０には、図１に示す区画部材２９、２９ａを選択して、上方から差し込んで装着することができる。区画部材２９（図１、図５において右側）は、上記回収口側格子扉２１および通り口側格子扉２２とほぼ同じ構造の長方形状の格子部材である。区画部材２９は、上記区画部材２８を装着しないときに装着することができる。
【００７３】
また、区画部材２９ａ（図１、図５において左側）は、長方形状の金属板である。区画部材２９ａは、区画部材２８を装着したときに、各差込口２６１、２６２、２６３に対応するガイド部材２３０、２８０に装着することができる。なお、上記区画部材２８、区画部材２９および区画部材２９ａは、それらを装着するガイド体２６０、２７０、２３０、２４０、２８０と共に動作制限手段を構成する。
【００７４】
（箱罠３：図４参照）
次に、罠用殺処分装置Ｔ１を取り付ける箱罠３の構造を説明する。なお、箱罠３は、イノシシやアナグマなどの捕獲対象獣を捕獲する罠であり、すでに公知のものであるので、ここでは構造の概略を説明するに止める。
【００７５】
箱罠３は、正面側を除いて、上面、底面、両側面および背面の五面を、分解組み立てが可能な格子部材で形成した箱罠本体３０を有している。箱罠本体３０は、正面側に開口部である入口３１を有し、外形が前後に長いほぼ直方体状である。箱罠本体３０の内部は、捕獲対象獣である動物を収容する捕獲空間３００となっている。そして、箱罠本体３０の正面側には、入口３１を開閉する落とし扉である入口側格子扉３２が設けられている。
【００７６】
また、箱罠本体３０を構成する側面格子部材３３、３４の正面側の端部には、入口３１を挟むように、山形鋼で形成された二本のガイド部材３５、３５ａが互いに平行になるように固定されている。ガイド部材３５、３５ａは、上部側を側面格子部材３３、３４の上端から所要の高さだけ突出させてある。ガイド部材３５、３５ａには、入口３１を開閉できるように上記入口側格子扉３２が昇降可能に嵌装されている。
【００７７】
箱罠本体３０の上面格子部材３６において、ガイド部材３５、３５ａの近傍には、ガイド部材３５、３５ａに沿って上昇させた入口側格子扉３２の下端部に係止して支持する支持機構（図示省略）を備えている。支持機構による入口側格子扉３２の支持の解除は、上面格子部材３６に設けられた、動物を検知することで作動するトリガー装置３７によって行われ、これにより入口側格子扉３２は落下して、入口３１を閉じるようになっている。
【００７８】
（作用）
図１ないし図８（主に図５ないし図８）を参照して、罠用殺処分装置Ｔ１の作用および罠用殺処分装置Ｔ１を使用した捕獲動物の殺処分方法について説明する。
【００７９】
（１）仕掛けた箱罠３に入口３１から動物９が入り、トリガー装置３７が作動して入口側格子扉３２が落ちて閉じることにより、動物９は捕獲空間３００内部で捕獲される。動物９が捕獲されたら、箱罠３の入口側格子扉３２が閉じた状態の入口３１側に封鎖部材１を取り付ける。封鎖部材２の取り付けは、複数の緊締バンド１６によって充分な取付け強度をもって行われる。この封鎖部材１の取付け状態においては、箱罠３の入口側格子扉３２と封鎖部材１の間に、入口側格子扉３２が昇降できる充分な隙間が設けられている。また、封鎖部材１が箱罠３に対して縦横方向にずれないように、金具などを使用して補強するようにしてもよい。
【００８０】
（２）次に、入口側格子扉３２を閉じたままで、封鎖部材１に誘導箱２を取り付ける。誘導箱２の通り口側格子扉２２と回収口側格子扉２１は閉じておく。誘導箱２は、上記したように、アングルの各通孔と上部アングル１３ａ、１３ｂおよび下部アングル１３ｃ、１３ｄの各通孔１３０を合わせ、それらを縫うように、上下で二本の固定用ロッド１４を差し込むことにより、封鎖部材１に固定することができる。なお、この際、各固定用ロッド１４のＬ型の係合部は、係合材１３１に係合され、固定用ロッド１４の抜け外れを防止するようになっている。
【００８１】
（３）誘導箱２を封鎖部材１に取り付けた後、誘導箱２の通り口側格子扉２２を上昇させて通り口２０２を開け、この状態でロック金具２５により通り口側格子扉２２をロックしておく。なお、操作紐２０９でロック解除を行わない側のロック金具２５によるロックは解除しておくようにする。
【００８２】
（４）箱罠３で捕獲されている動物９の大きさを勘案し、動物９が誘導箱２の収容空間２００に入ったときに、収容空間２００が充分に小さく、動物９の動きが制限されるようであれば、そのまま次の手順に移行する。また、収容空間２００が大きく、動物９の動きを充分に制限できないようであれば、回収口側格子扉２１を上昇させてロック金具２５でロックし、上記区画部材２８をガイド体２６０、２７０に装着して、回収口側格子扉２１を閉じてロックしておく。
【００８３】
（５）箱罠３の入口側格子扉３２を上昇させて上昇位置でロックする。そして、狩猟者が、動物９を追い立てるための棒などを持ち、更に操作紐２０９を持って箱罠３側に回り、棒などを捕獲空間３００に差し込み、動物９を入口３１方向へ追い立てる。動物９は追い立てられて、封鎖部材１の連通口１１から誘導箱２の通り口２０２を通って、収容空間２００に入る。このタイミングで、狩猟者は操作紐２０９を引き、ロック金具２５による通り口側格子扉２２のロックを解除して落とし、通り口２０２を閉じる。なお、通り口側格子扉２２は、閉じた位置でロック金具２５によってロックされる。
【００８４】
ここで、誘導箱２の内部に区画部材２８が装着されていない場合は、区画部材２９を差込口２６１、２６２、２６３の何れか一つに対応するガイド体２３０、２４０に装着して、収容空間２００を区画し、内部の動物９の動きを制限する。また、誘導箱２の内部に区画部材２８を装着している場合は、図６に示すように区画部材２９ａを差込口２６１、２６２、２６３の何れか一つに対応するガイド体２３０、２８０に装着して、収容空間２００を更に小さく区画し、内部の動物９の動きを制限する。
【００８５】
（６）誘導箱２の収容空間２００の内部で動物９の動きを制限して暴れないように動きを封じたら、通り口側格子扉２２を閉じたまま、二本の固定用ロッド１４を引き抜く。そして、動物９を収容空間２００に収容したままで、図７に示すように誘導箱２を封鎖部材１から取り外し、必要であれば誘導箱２を適当な場所に運んで、その場所で動物９の殺処分を行う。
この際、殺処分作業を容易にするため、狩猟者が刃物などを差し入れて殺処分ができるように、図８に示すように回収口２０１側を下にして誘導箱２を立て、各処分口２７１が側部にあらわれるようにしてもよい。なお、動物の殺処分は、例えば感電させるなど、刃物以外の他の手段で行うようにしてもよい。
【００８６】
（７）殺処分をした動物９は、放血後、回収口側格子扉２１をスライドさせて開口した回収口２０１から外へ取り出され、食肉加工や埋葬などの所定の処理が行われる。
その後、封鎖部材１を箱罠３から取り外し、誘導箱２も元の状態に戻して、箱罠３による次の動物の捕獲に備える。
【００８７】
（誘導箱２ａ：図９参照）
図９に示す誘導箱２ａは、正面格子部材２１ａ、上面格子部材２６ａ、両側面格子部材２３ａ、２４ａおよび底面格子部材２７ａからなる箱本体２０ａを有している。なお、図９において、誘導箱２ａのうち上記誘導箱２と同一または同等部分は、同一の符号を付して示し、構造の説明については上記誘導箱２の説明を援用し省略する場合がある。
【００８８】
箱本体２０ａの背面側には、上記箱本体２０と同様に、通り口２０２が設けられている。通り口２０２の両側には、ガイド部材２０５、２０６が平行に設けられている。ガイド部材２０５、２０６には、通り口側格子扉２２が昇降可能に嵌装されており、通り口側格子扉２２により通り口２０２の開閉が可能である。
【００８９】
なお、正面格子部材２１ａ、上面格子部材２６ａ、両側面格子部材２３ａ、２４ａおよび底面格子部材２７ａは、上記誘導箱２で使用している連結具２０７と同様の連結具２０７を介し、互いに着脱可能に組み合わせられている。
【００９０】
誘導箱２ａの収容空間２００ａは、捕獲対象獣である動物（例えばイノシシ）の所定の大きさのものが入るだけで、暴れることができないように動きが制限され、または動きが封じられる大きさにあらかじめ設定されている。このため、誘導箱２ａは、そのような動物専用の誘導箱として使用され、区画部材も使用されないので、構造が簡単である。また、誘導箱２ａは、分解組み立てが可能であるので、搬送時には分解して嵩張らないようにすることができ、取り扱いがしやすいようになっている。
【００９１】
（誘導箱２ｂ：図１０、図１１参照）
誘導箱２ｂは、上面格子部材２６ｂ、側面格子部材２３ｂおよび底面格子部材２７ｂからなる箱本体２０ｂを有している。箱本体２０ｂの前端部と後端部には、回収口２０１を開閉する回収口側格子扉２１と、通り口２０２を開閉する通り口側格子扉２２が昇降可能に設けられている。なお、図１０、図１１において、箱本体２０ｂの上記箱本体２０と同一または同等部分は、箱本体２０と同一の符号を付して示し、構造の説明については上記誘導箱２の説明を援用し省略する場合がある。
【００９２】
側面格子部材２３ｂと対向する側は、開口部２４１となっている。箱本体２０ｂの前端部寄りおよび後端部寄りには、それぞれ上下に互いに平行で山形鋼により形成されたガイド部（符号省略）を有するガイド枠２４２、２４２ａ(前部)、２４３、２４３ａ（後部）が幅方向に設けられている。ガイド枠２４２、２４２ａおよびガイド枠２４３、２４３ａの開口部２４１から突出した上下の端部には、固定用の通孔（符号省略）が設けられている。なお、ガイド枠２４２、２４２ａおよびガイド枠２４３、２４３ａには、後述する移動体４０がスライド可能に嵌装される。
【００９３】
このように形成された誘導箱２ｂの開口部２４１側には、動作制限装置４が取り付けられている。動作制限装置４は、誘導箱２ｂ内部の収容空間２００ｂにおいて、移動部材である移動体４０を進退動させる構造である。動作制限装置４は、上記ガイド枠２４２、２４２ａおよびガイド枠２４３、２４３ａに固定される、山形鋼で形成された取付け部材４１、４２を有している。取付け部材４１、４２は、二枚の補強台板４３、４４で連結され、上下に所定の間隔で平行に配された構造である。また、取付け部材４１、４２のそれぞれの両端部には、固定用の通孔（符号省略）が設けられている。
【００９４】
補強台板４３、４４には、ジャッキ４５が伸縮方向を水平方向として固定されている。本実施の形態では、ジャッキ４５としてパンタグラフジャッキ（車載ジャッキ）を採用しているが、これに限定するものではなく、油圧ジャッキやエアージャッキを採用することもできる。各ジャッキ４５の台側は補強台板４３、４４に固定されており、受側には上記移動体４０が固定されている。移動体４０は長方形状の枠体であり、四つの角部には、互いに平行に山形鋼で形成されたスライド部材４００が設けられている。
【００９５】
動作制限装置４は、誘導箱２ｂの開口部２４１側から、上記ガイド枠２４２、２４３の各ガイド部に各スライド部材４００をスライド可能に内嵌めし、取付け部材４１、４２の各通孔をガイド枠２４２、２４３の各通孔に合わせ、これら通孔を縫うように二本の固定用ロッド４６を通すことで、図１０に示すように誘導箱２ｂに固定される。なお、移動体４０は、ジャッキ４５のネジ棒（符号省略）に装着したハンドル４５０を回すことで、ガイド枠ガイド枠２４２、２４２ａおよびガイド枠２４３、２４３ａのガイド部に沿って進退動する。
【００９６】
誘導箱２ｂによれば、収容空間２００ｂに動物が収容された後、必要に応じて各ジャッキ４５のハンドル４５０を回し、移動体４０を移動させ、移動体４０と側面格子部材２３ｂで動物を挟む（あるいは移動体４０で動物を側面格子部材２３ｂに押し付ける）ことにより、動物の動きを制限して動きを封じることができる。誘導箱２ｂの底面格子部材２７ｂは、幅方向（移動体４０の移動方向）にのみ丸棒が固定されており、上記誘導箱２などのように、丸棒と直交する帯板が設けられていない。これにより、例えば動物の足を帯板と移動体４０で挟んでしまって、移動体４０で押せなくなるおそれがない。
【００９７】
また、各誘導箱２、２ａ、２ｂおよび後述の誘導箱２ｃ、２ｄにおいて、動物の足が通り抜けて、運搬などの際に邪魔にならないように、底面格子部材に代えて板状とすることもできる。なお、誘導箱２ｂの動作制限装置４は、上記区画部材２８、２９、２９ａなどとは相違して、動物を挟む力を調節することにより動物の自由度（動ける程度）を加減することも可能である。
【００９８】
（誘導箱２ｃ：図１２、図１３参照）
誘導箱２ｃは、回収口側格子扉２１ｃが、上記誘導箱２の回収口側格子扉２１と構造が異なるだけで、他の部分は誘導箱２と同様の構造である。したがって、図１２、図１３において、誘導箱２ｃの誘導箱２と同一または同等部分は、誘導箱２と同一の符号を付して示し、構造の説明については誘導箱２の説明を援用し省略する。
【００９９】
誘導箱２ｃの回収口側格子扉２１ｃは、格子部が外側へ突出した突出部２１０が形成されている。突出部２１０は、特に収容される動物がイノシシである場合に、その鼻先が入るようにしたもので、誘導箱２ｃの大きさがそれ程大きくない場合でも、比較的大きなイノシシを収容可能としたものである。
【０１００】
また、回収口側格子扉２１ｃの突出部２１０の下部は、格子が設けられておらず開口しており、しかもその開口部２１１に対応する枠部分は切除されて枠が存在しない切除部２１２となっている。つまり、上記誘導箱２の場合、回収口側格子扉２１の格子は平面的であるため、例えば図１３に示す大きさのイノシシ９ａが入ろうとしても、鼻先（または頭部）が邪魔になって入りきれず、通り口側格子扉２２を閉じることができない。
【０１０１】
これに対し、誘導箱２ｃでは、誘導箱２と同じ大きさである場合も、イノシシ９ａの鼻先は回収口側格子扉２１ｃの突出部２１０の内部空間に収まるので、誘導箱２ｃはその大きさの割りに大きなイノシシ９ａの収容が可能である。なお、誘導箱２ｃは、区画部材２８、２９、２９ａの使用が可能であるので、収容空間２００ｃに比較的小さな動物が入ったとしても、或いは動物が複数（前後二頭など）入っても、誘導箱２と同様に動物の動きの制限が可能である。
【０１０２】
また、上記したように、回収口側格子扉２１ｃの突出部２１０の下部には開口部２１１および枠の切除部２１２が設けられているので、図１３に示すように、殺処分後のイノシシ９ａが鼻先を回収口側格子扉２１ｃの突出部２１０に突っ込んだ状態でも、回収口側格子扉２１ｃをガイド部材２０３、２０４から引き抜く際、鼻先は突出部２１０の下部の開口部２１１および切除部２１２を通り抜けるので、回収口側格子扉２１ｃを簡単に取り外すことができる。この構造の回収口側格子扉２１ｃは、上記誘導箱２ｂの回収口側格子扉２１の代わりに誘導箱２ｂに嵌装することもできる。
【０１０３】
（罠用殺処分装置Ｔ２：図１４、図１５参照）
罠用殺処分装置Ｔ２は、誘導箱２ｄと動作制限装置４ａにより構成されている。誘導箱２ｄは、上面格子部材２６ｄ、側面格子部材２３ｄおよび底面格子部材２７ｄからなる箱本体２０ｄを有している。また、箱本体２０ｄにおいて、側面格子部材２３ｄと対向する側は開口された開口部２４１となっている。
【０１０４】
なお、図１４、図１５等において、箱本体２０ｄの上記箱本体２０と同一または同等部分は、箱本体２０と同一の符号を付して示し、構造の説明については上記誘導箱２の説明を援用し省略する場合がある。また、以下の説明で、位置や方向を表す際に、「前、後、左、右」の用語を使用する場合があるが、その場合、図１４において左斜め下方向を前側、右斜め上方向を後側、右斜め下方向を右側、左斜め上方向を左側として説明する。
【０１０５】
箱本体２０ｄの右端部には回収口２０１が設けられ、左端部には通り口２０２が設けられており、側面格子部材２３ｄにおいて通り口２０２寄り（左寄り）には、側部通り口２０８が設けられている。回収口２０１を形成する部分の両側は、側面格子部材２３ｄより上方までやや突き出したガイド部材２０３、２０４となっている。
【０１０６】
通り口２０２には、通り口２０２とほぼ同じ大きさの四角形の枠部材２２ａが着脱可能に装着されている。枠部材２２ａの両側は、上部が横部材２２０の上方までやや突き出したガイド部材２２１、２２２となっている。横部材２２０の中央には、通り口２０２へ向け突出する係合片２２３が設けられている。係合片２２３には、ピン孔２２４が上下面を貫通して設けられている（図１５、図１６参照）。
【０１０７】
また、枠部材２２ａの下側の横部材２２５には、二箇所に嵌入具２２６が設けられている。各嵌入具２２６は、通り口２０２を形成する下側の横部材２９０の上辺部に上方から嵌め込むことが可能である（図１５、図１６参照）。枠部材２２ａの横部材２２５の各嵌入具２２６を横部材２９０に嵌め込み、枠部材２２ａの上部側を通り口２０２方向へ回し、横部材２２５を端部材２６４に当てると、係合片２２３のピン孔２２４が端部材２６４のピン孔２６５と位置が合うようにしてある（図１６参照）。
【０１０８】
上面格子部材２６ｄにおいて、左側の端部材２６４の中央には、上記ロック金具２５と同様の構造を有するロック金具２５ｂが縦に固定されている。ロック金具２５ｂのロックピン２５５のロック時には、ロックピン２５５の先端部（下端部）が、端部材２６４のピン孔２６５を貫通し、下方へ突出するようになっている（図１６参照）。このとき、枠部材２２ａが上記のように通り口２０２に嵌め込んであれば、端部材２６４のピン孔２６５と係合片２２３のピン孔２２４にロックピン２５５が通り、これにより枠部材２２ａは箱本体２０ｄに固定される。
【０１０９】
また、右側の回収口２０１のガイド部材２０３、２０４には、回収口２０１を開閉する回収口側格子扉２１が昇降可能に嵌装され、左側の通り口２０２の枠部材２２ａのガイド部材２２１、２２２には、通り口２０２を開閉する通り口側格子扉２２ｂが昇降可能に嵌装されている。また、側部通り口２０８を形成する左右両側の枠は、ガイド部材２９１、２９２となっており、ガイド部材２９１、２９２には、側部通り口２０８を開閉する側部格子扉２２ｃが昇降可能に嵌装されている。
【０１１０】
上記各ガイド部材のうち、一方のガイド部材２０４には回収口側格子扉２１の開いた状態での支持と閉じた状態でのロックを行うロック金具２５が設けられ、ガイド部材２２２には通り口側格子扉２２ｂの開いた状態での支持と閉じた状態でのロックを行うロック金具２５が設けられ、ガイド部材２９２の上面格子部材２６ｄよりやや上側には、側部格子扉２２ｃの開いた状態での支持と閉じた状態でのロックを行うロック金具２５が設けられている（図１５参照）。
【０１１１】
上記回収口側格子扉２１、通り口側格子扉２２ｂおよび側部格子扉２２ｃのそれぞれの上端中央部には、把手２９３が形成されている。また、各格子扉のうち、回収口側格子扉２１および通り口側格子扉２２ｂの中段には、作業者が箱罠３の入口側格子扉３２を引き上げてセットするために罠用殺処分装置Ｔ２の上に昇るときに昇りやすいように、格子を抜いて足掛け部２９４が形成されている。
【０１１２】
上面格子部材２６ｄの上面側の中央部には、箱罠３の入口３１を開閉する入口側格子扉３２を開いた状態で支えると共に、入口側格子扉３２を落とす落とし操作具２９５を備えている。落とし操作具２９５は、所要の長さを有する細長い金属板であり、上面格子部材２６ｄの後端部材２６６の上面に固定されている蝶番２６７により蝶番２６７の軸（符号省略）を中心に、水平状態から垂直状態の間で回動可能に取り付けられている（図１７、図１８参照）。
【０１１３】
落とし操作具２９５が水平状態のときには、その先端側は、蝶番２６７から後端部材２６６より外側へ張り出している。なお、落とし操作具２９５は、蝶番２６７に対するネジによる取付け位置（長さ方向の位置）を変えることができるようにしてあり、箱罠３と組み合わせる際の多少の寸法的なズレにも対応できるようにしている。また、落とし操作具２９５の跳ね上がり側（図１８で左側）の端部近くには、止め具２９６が設けられている。
【０１１４】
止め具２９６は、上面格子部材２６ｄの部材の一つに水平方向に回動可能に軸着された止め板２９６ａと、止め板２９６ａを回動操作するハンドル２９６ｂを有している。止め具２９６は、止め板２９６ａを落とし操作具２９５に被せることによって、落とし操作具２９５の止め具２９６側が跳ね上がらないように止めることができる。
【０１１５】
そして、落とし操作具２９５の先端部側に、上昇させた入口側格子扉３２の下部を載置して支えることができる（図１７参照）。また、止め板２９６ａを回動させ落とし操作具２９５から外すことにより、その状態を解除して、入口側格子扉３２を落とすことができる。なお、ハンドル２９６ｂの先端にはリング（符号省略）が形成されており、操作用の紐をつなぐことができるようになっている。
【０１１６】
箱本体２０ｄの右端部寄り、および左端部寄りには、それぞれ上下一組で互いに平行であり、山形鋼で形成されたガイド枠２４２、２４２ａ（右側）、２４３、２４３ａ（左側）が設けられている（図１５参照）。ガイド枠２４２、２４２ａ、２４３、２４３ａには、後述する移動体４０ａがスライド可能に嵌装される。上側の各ガイド枠２４２ａ、２４３ａにおいて、開口部２４１から突出した端部には、後述する取付け枠４７の固定用の通孔２４４、２４５（図１５、図２０参照）が設けられている。
【０１１７】
また、下側の各ガイド枠２４２、２４３において、開口部２４１から突出した端部には、取付け枠４７の固定用のロック金具２５ａが設けられている（図１５、図２０、図２１参照）。ロック金具２５ａのロックピン２５５の先端部は、ロック時においては、下側のガイド枠２４２、２４３をピン孔２４６を通り貫通し、下方へ突出するようになっている。なお、ロック金具２５ａは、縦に設置されている点は異なるが、上記ロック金具２５と同様の構造であるので、構造の説明は省略する。
【０１１８】
誘導箱２ｄの開口部２４１側には、動作制限装置４ａが着脱可能に取り付けられている。動作制限装置４ａは、誘導箱２ｄ内部の収容空間２００ｄにおいて、移動部材である移動体４０ａを進退動させる構造である。動作制限装置４ａは、上記ガイド枠２４２、２４２ａ、２４３、２４３ａに固定される、山形鋼で形成された取付け枠４７を有している。取付け枠４７は、上下に平行に配された二本の横部材４７０、４７１と、横部材４７０、４７１を連結する、互いに平行な縦長の縦枠部材４７２、４７３を有している。
【０１１９】
上側の横部材４７１の両端寄り、かつ後部側（図１５では見えない）には、先部がやや尖った係止ピン４７４が下方へ向けて設けられている（図１９、図２０参照）。また、横部材４７１において、各係止ピン４７４の内側には、ガイド枠２４２ａ、２４３ａを通す切欠部４７５が形成されている。また、下側の横部材４７０の両端寄りには、各切欠部４７５に対応する位置に、同様に切欠部４７６が形成されている。なお、横部材４７０において、各切欠部４７５のやや外側には、上記ロック金具２５ａのロックピン２５５が通るピン通し管４７７が設けられている。
【０１２０】
更に、横部材４７０において、各切欠部４７５よりやや内側、かつ取付け枠４７の固定時に前側となる部分には、円管を固定して形成した杭通し管４７８が設けられている。各杭通し管４７８は、例えば金属製の杭４７９を通し、これを地面に打ち込んで、罠用殺処分装置Ｔ２を地面に固定するためのものである。これによれば、罠用殺処分装置Ｔ２は、地面に直接固定することにより、箱罠に取り付けるための道具などは必ずしも必要とせず、設置作業と撤去作業（取り外し作業）を簡単に行うことができる。
【０１２１】
取付け枠４７の各縦枠部材４７２、４７３の中間部、かつ取付け枠４７の固定時に後面側となる部分には、ジャッキ４５ａがそれぞれ固定されている。ジャッキ４５ａには、パンタグラフジャッキが採用されており、伸縮方向を水平方向、かつ前後方向として台部４５１側が固定されている（図１９、図２２参照）。
【０１２２】
なお、各ジャッキ４５ａは、縦枠部材４７２、４７３に設けられた長穴（符号省略）に沿って上下方向に移動調節可能に取り付けられている。これは、捕獲した動物を収容空間２００ｄに誘導した後、移動体４０aを各ジャッキ４５ａで動物に押し付けて動きを制限する際に、動物の大きさ、すなわち胴部の高さに合わせて、先端具４５３が力が作用する点となる各ジャッキ４５ａの高さをあらかじめ調節できる利点がある。
【０１２３】
ジャッキ４５ａのパンタグラフ部４５５は、ネジ棒４５２を回転させることで伸縮するようになっている。ネジ棒４５２の上端側には、六角棒状の接続軸４５２ａが同軸上に設けられている（図１５、図２２参照）。接続軸４５２ａには、インパクト回転工具であるインパクトドライバ８のチャックで保持した六角ボックスレンチ８０を嵌め込んで、回転操作をすることができる。
【０１２４】
インパクトドライバ８を使用すれば、ネジ棒４５２を高速で回転させることができるので、移動体４０ａの進退動も高速で行うことができ、動物が収容空間２００ｄ内部でターンしないうちに移動体４０ａを押し付けることにより動物の動きを制限することと、処分後の制限の解除を速やかに行うことが可能になる。
【０１２５】
また、インパクトドライバ８がバッテリーの充電不足などで使用できなくなる事態に備えて、上記ハンドル４５０とほぼ同様の形状で、先部が六角ボックスレンチ状に形成されたハンドル４５０ａを用意しておき（図１５、図２２参照）、上記のような場合には、六角ボックスレンチの部分をジャッキ４５ａの接続軸４５２ａに嵌め込んで、手動にて回転操作ができるようにしてもよい。
【０１２６】
各ジャッキ４５ａの伸縮方向の先端部には、先端具４５３が設けてある。各ジャッキ４５ａの先端具４５３は、それぞれ金属製の細板状の取着板４５４を介して移動体４０ａに取り付けられている。移動体４０ａは、側面格子部材２３ｄより外形がやや小さい四角形の移動格子部材４０１を有している。移動格子部材４０１の四隅部には、それぞれ移動格子部材４０１と直角方向の所要長さの山形鋼で形成されたスライド部材４００が設けてある。
【０１２７】
移動体４０ａは、各スライド部材４００をそれぞれ上記ガイド枠２４２、２４２ａ、２４３、２４３ａの内側に沿わせるようにしてスライド可能に嵌装されている。各取着板４５４は、下端部を移動格子部材４０１の下枠４０２に固定されている差込受具４０３に差し込まれ、上端部は移動格子部材４０１の上枠４０４に固定されている保持金具４０５で保持されて取り付けられている（図２３参照）。
【０１２８】
保持金具４０５は、両側に配した軸受具４０５ａと受金具４０５ｂ、および軸受具４０５ａに回動可能に取り付けられ水平回動時に先端が受金具４０５ｂに届き、取着板４５４を外側から押さえる回動金具４０５ｃを有している（図２３参照）。そして、箱本体２０ｄに固定されている取付け枠４７の各ジャッキ４５ａの先端具４５３は、取着板４５４を通して保持することができる爪部４５３ａで保持している。先端具４５３は、移動体４０ａに取り付けてある取着板４５４を爪部４５３ａでスライド可能な状態で保持する（図２２参照）。
【０１２９】
（作用）
図１４ないし図２５を参照し、罠用殺処分装置Ｔ２の作用、および罠用殺処分装置Ｔ２を使用した捕獲動物の殺処分方法について説明する。なお、殺処分方法については、上記罠用殺処分装置Ｔ１と共通する部分については、その説明を援用し、主に異なる点についてのみ説明する。
罠用殺処分装置Ｔ２は、上記構造から分かるように分解組み立てを簡単かつ速やかに行うことが可能であり、まず、その組み立て方法について簡単に説明する。
【０１３０】
動作制限装置４ａは、取付け枠４７の各ジャッキ４５ａのパンタグラフ部４５５の先端に、取着板４５４を介し移動体４０ａを取り付けて構成されている。動作制限装置４ａは、誘導箱２ｄの開口部２４１側から、ガイド枠２４２、２４２ａ、２４３、２４３ａに、移動体４０ａの各スライド部材４００をスライド可能に内嵌めにし、取付け枠４７をガイド部材２４２、２４２ａ、２４３、２４３ａに固定する。
【０１３１】
この固定作業は、まず、取付け枠４７の各係止ピン４７４をガイド枠２４２ａ、２４３ａの通孔２４４、２４５に上から差し込んで係止し、更に取付け枠４７の下側をガイド枠２４２の先端に当て、ピン通し管４７７をロック金具２５ａのピン２５５の位置に合わせる。そして、ピン２５５の先端部をバネの付勢力でピン２４６、ピン通し管４７７を貫通して突出させる。このようにして、取付け枠４７はガイド枠２４２ａ、２４３ａに固定され、動作制限装置４ａは、誘導箱２ｄに取り付けられている。
【０１３２】
そして、誘導箱２ｄの通り口２０２に枠部材２２ａを上記のようにして取り付け、枠部材２２ａのガイド部材２２１、２２２に通り口側格子扉２２ｂを嵌装し、回収口２０１のガイド部材２０３、２０４に回収口側格子扉２１を嵌装し、更に側部通り口２０８のガイド部材２９１、２９２に側部格子扉２２ｃを嵌装する。上記各格子扉２１、２２ｂ、２２ｃは、閉じた状態でロック金具２５により開かないようにロックしておく。また、動作制限装置４ａの移動体４０ａは、前側へ移動させておき、誘導箱２ｄの収容空間２００ｄを大きく取っておくようにする。
【０１３３】
このようにして、罠用殺処分装置Ｔ２の組み立てを簡単かつ速やかに行うことができる。なお、組み立てた罠用殺処分装置Ｔ２の分解は、上記と概ね逆の手順で行うことができる。また、罠用殺処分装置Ｔ２の分解組み立てが可能であることにより、罠を仕掛ける場所に運ぶ際に、各部品を適宜組合せでまとめる際に、個々を軽量にすることができるので、組み立て状態で運ぶ場合と相違して、例えば複数の作業者に振り分けて運ぶことが可能になり、必ずしも運搬用の自動車などを必要としない。
【０１３４】
罠用殺処分装置Ｔ２の使用方法は、次のとおりである。
（１）獣道などに仕掛けた箱罠３に入口３１から動物（図示省略）が入り、トリガー装置３７が作動して入口側格子扉３２が落ちて閉じることにより、動物は捕獲空間３００内部で捕獲される。動物が捕獲されたら、箱罠３の入口側格子扉３２が閉じた状態の入口３１側に、側部通り口２０８を合わせるようにして罠用殺処分装置Ｔ２を取り付ける（図２４参照）。
罠用殺処分装置Ｔ２の取り付けは、上記罠用殺処分装置Ｔ１と同様に複数の緊締バンド１６だけを使用して行ってもよいし、必要数の緊締バンド１６を使用すると共に、罠用殺処分装置Ｔ２の前側の杭通し管４７８にそれぞれ杭４７９を差し込み、地面Ｇに打ち込んで罠用殺処分装置Ｔ２を地面に固定するようにしてもよい。この状態においては、箱罠３の入口側格子扉３２と罠用殺処分装置Ｔ２の側部通り口２０８の間に、入口側格子扉３２が昇降できる充分な隙間が設けられている。
また、罠用殺処分装置Ｔ２を箱罠３に取り付けたとき、上記罠用殺処分装置Ｔ１の場合のように、誘導箱２を長手方向に突出させるように箱罠３に取り付ける場合と比較して、箱罠３からの出っ張りが少ないので、罠周りで様々な作業をする際に邪魔になりにくく、作業がしやすい。また、罠用殺処分装置Ｔ２は、側部通り口２０８の側部格子扉２２ｃを閉じておき、回収口２０１を箱罠３の入口３１に接続して使用することで、上記したような罠用殺処分装置Ｔ１と同様の使い方も可能である。
【０１３５】
（２）誘導箱２ａを箱罠３、および地面Ｇに取り付けた後、誘導箱２ｄの側部通り口２０８を塞いでいる側部格子扉２２ｃを上昇させて側部通り口２０８を開け、この状態で側部格子扉２２ｃをロック金具２５により通り口側格子扉２２を支持しておく。なお、ガイド部材２９２に設けてあるロック金具２５の操作レバー２５９には、操作紐（図示省略）がつながれており、操作紐２０９によりロック解除の操作を行うことができるようにしている。
【０１３６】
（３）箱罠３で捕獲されている動物の大きさを勘案し、動物が誘導箱２ｄの収容空間２００ｄに入ったときに、収容空間２００ｄが充分に小さく、動物の動きが制限されるようであれば、そのまま次の手順に移行する。また、収容空間２００ｄが大きく、動物の動きを充分に制限できないようであれば、動作制限装置４ａの各ジャッキ４５ａの接続軸４５２ａにインパクトドライバ８のチャックで保持した六角ボックスレンチ８０を嵌め込んでおく。
なお、インパクトドライバ８がバッテリーの充電不足などで使用できなくなった場合でも、インパクトドライバ８の代わりに上記ハンドル４５０ａを使用して、手動にて回転操作をすることができる。
【０１３７】
（４）箱罠３の入口側格子扉３２を上昇させて上昇位置で、水平にした落とし操作具２９５で支持する（図１７参照）。このとき、狩猟者が罠用殺処分装置Ｔ２の上に乗るようにすれば、入口側格子扉３２の引き上げなどの作業がしやすい。各格子扉に設けてある足掛け部２９４によれば、この際の狩猟者の上り下りを素早く安全に行うことができる。
そして、狩猟者が、動物を入口３１の方向へ追い立てると、動物は入口側格子扉３２が開いている入口３１から誘導箱２の側部通り口２０８を通って、収容空間２００ｄに入る。このタイミングで、狩猟者は操作紐２０９を引き、ロック金具２５による入口側格子扉３２のロックを解除して落とす（図１８参照）。続いて、側部格子扉２２ｃのロックを解除して落とし、側部通り口２０８を閉じる。なお、側部格子扉２２ｃは、閉じた位置でロック金具２５によってロックされる。
【０１３８】
（５）ここで、入った動物に対し収容空間２００ｄが大きく、動物の動きを充分に制限できないようであれば、各ジャッキ４５ａの接続軸４５２ａに接続したインパクトドライバ８を駆動してネジ棒４５２の回転操作をし、移動体４０ａを動物へ向けて移動させ、これにより移動体４０ａと側面格子部材２３ｄで動物を挟んで、動きを制限する。なお、電動のインパクトドライバ８による回転操作は高速で行うことができるので、移動体４０ａの前後方向への移動も手動の場合と比較して素早く行うことができる。
【０１３９】
（６）誘導箱２ｄの収容空間２００ｄの内部で動物の動きを制限して暴れないようにしたら、側部格子扉２２ｃを閉じたまま、かつ動物を収容空間２００ｄに収容したままで、誘導箱２ｄを箱罠３と地面Ｇから取り外し、必要であれば誘導箱２ｄを適当な場所に運んで、その場所で動物の殺処分を行う。
【０１４０】
（７）殺処分をした動物は、放血後、各ジャッキ４５ａの操作で移動体４０ａを緩めた後、回収口側格子扉２１をスライドさせて開口した回収口２０１から外へ取り出され、食肉加工や埋葬などの所定の処理が行われる。その後、誘導箱２ｄを元の状態に戻して、箱罠３による次の動物の捕獲に備える。
【０１４１】
なお、誘導箱２ｄの底面格子部材２７ｄが、移動体４０ａの移動方向にのみ丸棒が固定されており、丸棒と直交する帯板が設けられておらず、動物の足を帯板と移動体４０ａで挟んでしまうことがない点は、上記誘導箱２ｂと同様である。また、誘導箱２ｄの動作制限装置４ａは、動物を挟む力を調節することにより動物の自由度を加減することが可能である点も、上記誘導箱２ｂと同様である。
【０１４２】
（誘導箱２ｅ：図２５参照）
誘導箱の第４の変形例である誘導箱２ｅは、回収口側格子扉２１ｅが、上記誘導箱２ｄの回収口側格子扉２１と構造が異なるだけで、他の部分は誘導箱２ｄと同様の構造である。したがって、図２５において、誘導箱２ｅの誘導箱２ｄと同一または同等部分は、誘導箱２ｄと同一の符号を付して示し、構造の説明については誘導箱２ｄの説明を援用し省略する。
【０１４３】
誘導箱２ｅの回収口側格子扉２１ｅは、格子部が外側へ突出した突出部２１３が形成されており、回収口側格子扉２１ｅの突出部２１３の下部は、上記回収口側格子扉２１と同様に、格子が設けられておらず開口しており、しかもその開口部２１１に対応する枠部分は枠が存在しない切除部２１２となっている。また、突出部２１３の上下方向の中間部には、格子の一部を抜いて形成した足掛け部２９４が設けられている。
【０１４４】
回収口側格子扉２１ｅは、殺処分後のイノシシが鼻先を回収口側格子扉２１ｅの突出部２１３に突っ込んだ状態でも、回収口側格子扉２１ｅをガイド部材２０３、２０４から引き抜く際、鼻先が邪魔にならず、簡単に取り外すことができる点は、上記回収口側格子扉２１ｃと同様である。また、足掛け部２９４は、箱罠３の入口側格子扉３２を引き上げるために、狩猟者が罠用殺処分装置Ｔ２の上に乗る際、狩猟者の上り下りを素早く安全に行うために有用である。
【０１４５】
（移動体４０ｂ：図２６参照）
ここでは、移動体４０ｂにおける取付け板４５４ａの構造およびその取付け構造を説明する。
なお、図２６において、上記移動体４０ａと同一または同等箇所には同一の符号を付して示し、構造について重複する説明は省略する。
【０１４６】
移動体４０ｂにおいては、移動格子部材４０１の左右両側に設けられた格子のない部分に、取付け部材４１０、４１１が、それぞれ所要間隔をおいて上下二段に架設されている。下段の各取付け部材４１０は、上辺部が直角に曲げられ、その折曲げ部４１２の曲げ部側には、取付け板４５４ａを通すための角孔４１３が貫通して設けられている。また、角孔４１３の直下には、折曲げ部４１２と平行に曲げられて、取付け板４５４ａの下端を載置する載置片４１８が形成されている。
【０１４７】
また、上段の各取付け部材４１１は、下辺部が折曲げ部４１２と同じ方向へ直角に曲げられ、その折曲げ部４１４の曲げ部側には、角孔４１３と対応する位置に取付け板４５４ａを通すための角孔４１５が貫通して設けられている。折曲げ部４１４において、角孔４１５の近傍には、ガイド板４１６が折曲げ部４１４から直角に垂下して設けられている。
【０１４８】
ガイド板４１６が設けてある折曲げ部４１４部分には、アングル（山形鋼）状の係止具４１７がスライド可能に取り付けられている。係止具４１７は、係止具４１７に設けた長孔（符号省略）を貫通し、ガイド板４１６にネジ止めすることで、折曲げ部４１４に対し所要位置で固定できるようにしてある。
【０１４９】
取付け枠４７に固定されている各ジャッキ４５ａのパンタグラフ部４５５の先端具４５３は、爪部４５３ａにより取着板４５４ａを保持しており、各取着板４５４ａは、その状態で取付け部材４１０、４１１に取り付けられる。取着板４５４ａは、金属製で細板状に形成され、使用時に上側となる一端部には、四角形の把手穴４５６が形成されている。把手穴４５６よりやや下側の側辺部には、上記係止部４１７の先端が係止する係止凹部４５７が設けられている。なお、把手穴４５６には、紐などを括り付けて操作しやすいようにしてもよい。
【０１５０】
取着板４５４ａの取付け部材４１０、４１１に対する取付け方法は次の通りである。
まず、各係止具４１７を邪魔にならないように内側へ移動させておく。次に、角孔４１５の下方から取着板４５４ａの把手穴４５６側を差し込む。取着板４５４ａの把手穴４５６とは反対側の端部が、取付け部材４１０の角孔４１３より上側に来たときに、取着板４５４ａ全体を下げながら、取着板４５４ａの下端側を角孔４１３に差し込み、載置片４１８の上面に載置する。
【０１５１】
そして、各係止具４１７を外方向へ動かし、その先端辺を取着板４５４ａの係止凹部４５７に係止する。これにより、取着板４５４ａを取付け部材４１０、４１１に対し固定することができる。なお、各ジャッキ４５ａと移動体４０ａの切り離しは、上記取付け作業とほぼ逆の手順で行えばよい。
【０１５２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【０１５３】
Ｔ１  罠用殺処分装置
１  封鎖部材
１０  外枠
１１  連通口
１２  格子部
１３  底受板
１３ａ、１３ｂ  上部アングル
１３ｃ、１３ｄ  下部アングル
１３０  通孔
１３１  係合材
１４  固定用ロッド
１５ａ、１５ｂ、１５ｃ、１５ｄ  受板
１６  緊締バンド
１６０  バンド
１６１  フック
１６２  締付具
２  誘導箱
２０  箱本体
２００  収容空間
２０１  回収口
２０２  入口
２０３、２０４  ガイド部材
２０５、２０６  ガイド部材
２０７  連結具
２０８  側部通り口
２０９  操作紐
２１  回収口側格子扉
２２  通り口側格子扉
２３、２４  側面格子部材
２３０、２４０  ガイド体
２５  ロック金具
２５０  軸受部材
２５１、２５２  アングル
２５３  係止凹部
２５４  貫通孔
２５５  ロックピン
２５６  バネ
２５７  回動板
２５８  軸ボルト
２５９  操作レバー
２６  上面格子部材
２６０  ガイド体
２６１、２６２、２６３  差込口
２７  底面格子部材
２７０  ガイド体
２７１  処分口
２８  区画部材
２９、２９ａ  区画部材
３  箱罠
３０  箱罠本体
３１  入口
３００  捕獲空間
３２  入口側格子扉
３３、３４  側面格子部材
３５、３５ａ  ガイド部材
３６  上面格子部材
３７  トリガー装置
２ａ  誘導箱
２０ａ  箱本体
２００ａ  収容空間
２１ａ  正面格子部材
２３ａ、２４ａ  側面格子部材
２６ａ  上面格子部材
２７ａ  底面格子部材
２ｂ  誘導箱
２０ｂ  箱本体
２００ｂ  収容空間
２３ｂ  側面格子部材
２４１  開口部
２４２、２４３
２６ｂ  上面格子部材
２７ｂ  底面格子部材
４  動作制限装置
４０  移動体
４００  スライド部材
４１、４２  取付け部材
４３、４４  補強台板
４５  ジャッキ
４５０  ハンドル
４６  固定用ロッド
２ｃ  誘導箱
２１ｃ  回収口側格子扉
２１０  突出部
２１１  開口部
２１２  切除部
９ａ  イノシシ
Ｔ２  罠用殺処分装置
２ｄ  誘導箱
２０ｄ  箱本体
２００ｄ  収容空間
２６ｄ  上面格子部材
２３ｄ  側面格子部材
２７ｄ  底面格子部材
２０１  回収口
２０２  通り口
２０８  側部通り口
２０３、２０４  ガイド部材
２２ａ  枠部材
２２０  横部材
２２１、２２２  ガイド部材
２２３  係合片
２２４  ピン孔
２２５  横部材
２２６  嵌入具
２９０  横部材
２６４  端部材
２６５  ピン孔
２５ｂ  ロック金具
２９３  把手
２９４  足掛け部
２９５  落とし操作具
２６６  後端部材
２６７  蝶番
２９６  止め具
２９６ａ  止め板
２９６ｂ  ハンドル
２４２、２４２ａ  ガイド枠
２４３、２４３ａ  ガイド枠
２４４、２４５  通孔
２５ａ  ロック金具
４ａ  動作制限装置
４０ａ  移動体
４７  取付け枠
４７０、４７１  横部材
４７２、４７３  縦枠部材
４７４  係止ピン
４７５  切欠部
４７６  切欠部
４７７  ピン通し管
４７８  杭通し管
４７９  杭
４５ａ  ジャッキ
４５１  台部
４５５  パンタグラフ部
４５２  ネジ棒
４５２ａ  接続軸
４５０ａ  ハンドル
４５３  先端具
４５３ａ  爪部
４５４  取着板
４０１  移動格子部材
４０２  下枠
４０３  差込受具
４０４  上枠
４０５  保持金具
４０５ａ  軸受具
４０５ｂ  受金具
４０５ｃ  回動金具
８  インパクトドライバ
８０  六角ボックスレンチ
２ｅ  誘導箱
２１ｅ  回収口側格子扉
２１３  突出部
４０ｂ  移動体
４５４ａ  取付け板
４５６  把手穴
４５７  係止凹部
４１０、４１１  取付け部材
４１２  折曲げ部
４１３  角孔
４１８  載置片
４１４  折曲げ部
４１５  角孔
４１６  ガイド板
４１７  係止具
【要約】
【課題】箱罠などで捕獲した捕獲対象獣を、狭い空間に追い込み、動きを制限して、手早く確実に殺処分することができる、罠用殺処分装置を提供する。
【解決手段】罠用殺処分装置Ｔ１は、内部の捕獲空間に通じる開閉可能な入口３１を有する箱罠３に、箱罠３の入口３１を封鎖するように着脱可能で、入口３に通じる連通口１４を有する封鎖部材１と、封鎖部材１に着脱可能で、内部の収容空間２００と連通口１４に通じる開閉可能な通り口２０２を有する誘導箱２と、誘導箱２の収容空間２００が小さくなるように調節して、収容空間２００内部の動物の動きを制限する動作制限装置４とを備える。
【選択図】図１【図１】
0005893200.tif 000002
【図２】
0005893200.tif 000003
【図３】
0005893200.tif 000004
【図４】
0005893200.tif 000005
【図５】
0005893200.tif 000006
【図６】
0005893200.tif 000007
【図７】
0005893200.tif 000008
【図８】
0005893200.tif 000009
【図９】
0005893200.tif 000010
【図１０】
0005893200.tif 000011
【図１１】
0005893200.tif 000012
【図１２】
0005893200.tif 000013
【図１３】
0005893200.tif 000014
【図１４】
0005893200.tif 000015
【図１５】
0005893200.tif 000016
【図１６】
0005893200.tif 000017
【図１７】
0005893200.tif 000018
【図１８】
0005893200.tif 000019
【図１９】
0005893200.tif 000020
【図２０】
0005893200.tif 000021
【図２１】
0005893200.tif 000022
【図２２】
0005893200.tif 000023
【図２３】
0005893200.tif 000024
【図２４】
0005893200.tif 000025
【図２５】
0005893200.tif 000026
【図２６】
0005893200.tif 000027